(57)【要約】  直接シーケンス符号分割多元接続（DirectSequence-CodeDivisionMultipleAccess）システムまたはＤＳ−ＣＤＭＡシステムのような遠隔通信システム内の１つの携帯端末における干渉取消は、１つの携帯端末に多ユーザ検出部を設けることにより改善することができる。これらの多ユーザ検出部は、他の複数の携帯端末の拡散符号を必要とし、これらの拡散符号は基地局内で役にたち、したがって、前記１つの携帯端末へと送信されるために必要である。前記１つの携帯端末に対して他の複数の携帯端末の電力情報をさらに送信することにより、選択部は前記１つの携帯端末内での聡明な選択を可能にすると共に、最も重要な拡散符号を選択することができ、これにより計算上の複雑さを低減させることができる。選択部を基地局内に配置することにより、聡明な選択はまた、前記基地局内で行なわれることが可能となる。好ましくは、選択は、複数のアンテナの領域にしたがって、各アンテナの領域毎に行なわれ、この場合、他の複数の端末の方向情報が用いられることを必要とする。
2005515689.tif 000002
【特許請求の範囲】
【請求項１】
基地局と複数の携帯端末とを備え、前記基地局は拡散符号を生成する生成部を有すると共に前記携帯端末の少なくとも１つの携帯端末は干渉を低減させる干渉取消部を備える遠隔通信システムであって、
前記基地局は、前記生成部に結合されて前記少なくとも１つの携帯端末に対する他の携帯端末の拡散符号の少なくとも一部分を含む情報を送信する送信部を備え、携帯端末は前記情報を受信する受信部を備えると共に、前記干渉取消部は前記受信部に結合され前記情報を用いて干渉を低減するための多ユーザ検出部を備えることを特徴とする遠隔通信システム。
【請求項２】
前記情報はさらに他の携帯端末の電力情報を含み、前記少なくとも１つの携帯端末は、前記受信部に結合されて前記電力情報に基づいて前記多ユーザ検出部により用いられるべき多数の他の携帯端末の拡散符号の少なくとも一部分を選択する選択部を備えることを特徴とする請求項１に記載の遠隔通信システム。
【請求項３】
前記基地局は、前記生成部と前記送信部との間に配置されて前記少なくとも１つの携帯端末へと送られるべき多数の他の携帯端末の拡散符号の一部分と電力情報とを選択する選択部を備えることを特徴とする請求項２に記載の遠隔通信システム。
【請求項４】
前記情報はさらに、１つの他の携帯端末の方向情報の少なくとも一部分を含むことを特徴とする請求項２または請求項３に記載の遠隔通信システム。
【請求項５】
拡散符号を生成する生成部を備える基地局、および、複数の携帯端末のうちで少なくとも１つの携帯端末は干渉を低減させる干渉取消部を備える携帯端末、を備える遠隔通信システム内で用いられる基地局であって、
前記基地局は、前記生成部に結合されて前記少なくとも１つの携帯端末に対する他の携帯端末の拡散符号の少なくとも一部分を含む情報を送信する送信部と、前記情報を受信する受信部とを備える共に、前記干渉取消部は前記受信部に結合されて前記情報を用いて干渉を低減するための多ユーザ検出部を備えることを特徴とする基地局。
【請求項６】
前記基地局は、前記生成部と前記受信部との間に配置されて、前記少なくとも１つの携帯端末に送られるべき多数の他の携帯端末の拡散符号の少なくとも一部分と電力情報を選択する選択部を備えることを特徴とする請求項５に記載の基地局。
【請求項７】
拡散符号を生成する生成部を備える基地局と、干渉を低減させる干渉取消部を備える少なくとも１つの携帯端末とを備える遠隔通信システム内で用いられる携帯端末であって、
前記携帯端末は、前記基地局から送信されてくる他の複数の携帯端末の拡散符号の少なくとも一部分を含む情報を受信する受信部を備え、前記干渉取消部は前記受信部に結合されて前記情報を用いて干渉を低減するための多ユーザ検出部を備え、前記基地局は前記生成部に結合されて前記携帯端末に前記情報を送信することを特徴とする携帯端末。
【請求項８】
前記情報はさらに、他の複数の携帯端末の電力情報を含み、前記少なくとも１つの携帯端末は前記受信部に結合されて前記電力情報に基づいて前記多ユーザ検出部により用いられるべき多数の他の携帯端末の拡散符号の少なくとも一部分を選択する選択部を備えることを特徴とする請求項７に記載の携帯端末。
【請求項９】
携帯端末における干渉を低減させると共に、基地局内で拡散符号を生成させるステップを備える方法であって、１つの携帯端末に対して他の複数の携帯端末の拡散符号の少なくとも一部分を含む情報を送信し、前記携帯端末内で前記情報を受信し、前記携帯端末内で前記情報を用いることにより干渉を低減させるステップを備えることを特徴とする方法。
【請求項１０】
前記情報が他の複数の携帯端末の電力情報を更に含み、前記１つの携帯端末内で用いられるべき前記情報の一部分を選択するか、または、前記１つの携帯端末へと送られるべき他の多数の携帯端末の電力情報およびその拡散符号の少なくとも一部分を選択するか、の何れかのステップを備えることを特徴とする請求項９に記載の方法。
【請求項１１】
基地局と複数の携帯端末を備え、少なくとも１つの携帯端末が干渉を低減させる干渉取消部を備える遠隔通信システムの該基地局のプロセッサを介して実行されるプロセッサプログラムプロダクトであって、前記基地局内で拡散符号を生成するための生成機能を有するプロセッサプログラムプロダクトにおいて、
前記プロセッサプログラムプロダクトは、前記生成機能に基づいて、他の複数の携帯端末拡散符号の少なくとも一部分を含む情報を前記少なくとも１つの携帯端末へ送信する機能を備え、携帯端末は前記情報を受信するための受信部を備え、前記干渉取消部は前記情報を用いることによる干渉を低減させるために前記受信部に結合された前記干渉取消部を備えることを特徴とするプロセッサプログラムプロダクト。
【請求項１２】
基地局と複数の携帯端末を備え、該基地局が拡散符号を生成する生成部を備える遠隔通信システムの１つの携帯端末内で使用するために携帯端末のプロセッサを介して実行されるプロセッサプログラムプロダクトであって、干渉を低減させるための干渉取消機能を有するプロセッサプログラムプロダクトにおいて、
前記プロセッサプログラムプロダクトは、前記基地局から送信されてくる他の複数の携帯端端末の拡散符号の少なくとも一部分を含む情報を受信する受信機能を備えると共に、前記干渉取消機能は、前記受信機能に応答して、前記情報を使用することによる干渉を低減させるための多ユーザ検出機能を含み、前記基地局は前記携帯端末へ前記情報を送信するために前記生成部に結合される送信部を備えることを特徴とするプロセッサプログラムプロダクト。
【発明の詳細な説明】
【技術分野】
【０００１】
この発明は、基地局と複数の携帯端末とを備え、前記基地局が拡散符号を生成する生成部を備え、前記携帯端末の少なくとも１つの携帯端末が干渉を低減する干渉取消部を有する遠隔通信システムに関する。
【０００２】
この発明はまた、基地局と複数の携帯端末とを有する遠隔通信システム内で用いる前記基地局であって前記基地局が拡散符号を生成する生成部を備えると共に前記複数の携帯端末の家の少なくとも１つの携帯端末が干渉を低減する干渉取消部を備えるシステムの基地局に関し、および、基地局と複数の携帯端末を備える遠隔通信システム内で用いる１つの携帯端末であって前記基地局が拡散符号を生成する生成部を備えると共に前記携帯端末が干渉を低減する干渉取消部を備える携帯端末に関し、および、１つの携帯端末内の干渉を低減する方法であって基地局内で拡散符号を生成するステップを備える方法に関し、および、基地局と複数の携帯端末を備える遠隔通信システム内の基地局内で使用するため基地局のプロセッサを介して実行されるプロセッサプログラムプロダクトであって前記基地局内の拡散符号を生成するための生成機能を有すると共に少なくとも１つの携帯端末が干渉を低減する干渉取消部を備えるプロセッサプログラムプロダクトに関し、および、基地局と複数の携帯端末を備える遠隔通信システムの１つの携帯端末内で使用するためこの携帯端末のプロセッサを介して実行されるプロセッサプログラムプロダクトであって前記基地局が拡散符号を生成する生成部を備えると共に前記プロダクツが干渉を低減する干渉取消機能を備えるプロセッサプログラムプロダクトに関する。
【０００３】
このような遠隔通信システムは例えば、直接シーケンス−符号分割多元接続システムまたはＤＳ−ＣＤＭＡシステムである。
【背景技術】
【０００４】
先行技術の遠隔通信システムは、米国特許第６，２２２，８３３Ｂ１号公報で公知であり、この公報は拡散符号を生成するための生成部を備える基地局を開示している。この生成部は、多ユーザ検出部に結合されており、この検出部は、（受信信号を拡散符号に相関させることにより）受信された信号の拡散を解除すると共に多ユーザ毎にサンプルを提供するマッチドフィルタを伴う相関システムと、これらのサンプルにおける多元接続干渉またはＭＡＩ（Multiple Access Interference）を低減するために前記相関システムに結合された低減部と、および、多ユーザメッセージを正常な状態に戻すために前記低減部に結合された決定受取部とを有する。先行技術の携帯端末は、多元接続干渉またはＭＡＩを分散的に低減させるための干渉取消部を備え、これは、データ支援検出部および非データ支援検出部に分類できる。データ支援検出部はＭＡＩの構造を適応的に学習し、統計量が推定されるべきであるランダムプロセスとしてＭＡＩを処理する。
【０００５】
公知の遠隔通信システムは、とりわけ、（緩慢に集中するプロセスである）前記適応的に学習すること、および／または、（不正確なプロセスである）前記推定すること、の結果としての、不充分である携帯端末における干渉の取消を原因として不利である。
【発明の概要】
【０００６】
本発明の目的は、とりわけ、冒頭に記載したような遠隔通信システムにおいて、携帯端末における干渉の取消が改善されたものを提供することにある。
【０００７】
本発明に係る遠隔通信システムは、前記基地局は、前記生成部に結合されて前記少なくとも１つの携帯端末に対する他の携帯端末の拡散符号の少なくとも一部分を含む情報を送信する送信部を備え、携帯端末は前記情報を受信する受信部を備えると共に、前記干渉取消部は前記受信部に結合され前記情報を用いて干渉を低減するための多ユーザ検出部を備えることを特徴とする。
【０００８】
一般的な（分散された）干渉取消部よりもより多くの多元接続干渉またはＭＡＩを低減することが可能であるべき、他の複数の携帯端末の拡散符号を含む情報を必要とする、多ユーザ検出部を備える少なくとも１つの携帯端末を提供することにより、携帯端末内の干渉の取消は、より多く改善される。前記情報を直ぐに必要とする前記携帯端末により、それ自身の目的のために既にこの情報を獲得している基地局は、この情報を携帯端末へと送信するための送信部を備えて提供され、それ故に、携帯端末はこの情報を受信するための受信部を備えて提供されている。これにより、基地局は、この情報を幾つかのまたは全ての携帯端末に同報通信するための共通制御チャネルと、または、この情報を１つの携帯端末に送信するための端末特定制御チャネルと、または、この情報を１つの携帯端末に送信するためのデータチャネルと、の何れかを用いる。
【０００９】
この発明は、とりわけ、多ユーザ検出部が一般的な（分散された）干渉取消部よりも一層良好な干渉取消部であるという洞察に基づいており、および、とりわけ、携帯端末内の多ユーザ検出部にとって必要な情報情報が基地局からその携帯端末へと送信されることが可能であるという基本的な概念に基づいている。
【００１０】
この発明は、とりわけ、遠隔通信システムの容量のみならず携帯端末の干渉の取消も同様に改善された、冒頭に記載された遠隔通信システムを提供するという問題を解決する。
【００１１】
請求項２に記載されたこの発明による遠隔通信システムの第１実施形態は、前記携帯端末内の前記受信部に結合された選択部は、前記携帯端末内の多ユーザ検出部により用いられるべき情報の一部分を選択することによって、携帯端末内での計算の複雑性を低減させる。この選択部は、他の複数の携帯端末の（電力レベルのような）電力情報を用いることにより、例えば、この電力情報をしきい値と比較して、この比較結果に応答して、例えば電力レベルが前記しきい値よりも大きいこれらの他の複数の携帯端末のこれらの拡散符号のみを、最も重要な拡散符号として選択することにより、聡明な選択を行なわせる。これらの携帯端末は、（例えば基地局から遠く離れていることの結果として）電力レベルが前記しきい値よりも一層小さい他の複数の携帯端末の残りのものと比較してより高い電力で送信することにより、（例えば基地局の近くにいることの結果として）一層小さい電力で送信することにより、干渉の大部分を引き起こしている。
【００１２】
請求項３に記載されたこの発明による遠隔通信システムの第２実施形態は、前記生成部と前記送信部との間に配置された前記選択部が、前記少なくとも１つの携帯端末へ送信されるべき多数の他の携帯端末の拡散符号および電力情報を選択することにより、この携帯端末内の計算の複雑性を低減させると共に、同報通信／送信されるべき情報量を低減させる。この選択部は、他の複数の携帯端末の（電力レベルのような）電力情報を、例えば、用いることにより、例えば、この電力情報をしきい値と比較して、この比較結果に応答して、例えば電力レベルが前記しきい値よりも大きいこれらの他の複数の携帯端末のこれらの拡散符号のみを、最も重要な拡散符号として選択することにより、聡明な選択を行なわせる。これらの携帯端末は、（例えば基地局から遠く離れていることの結果として）電力レベルが前記しきい値よりも一層小さい他の複数の携帯端末の残りのものと比較してより高い電力で送信することにより、（例えば基地局の近くにいることの結果として）一層小さい電力で送信することにより、干渉の大部分を引き起こしている。
【００１３】
請求項４に記載されたこの発明による遠隔通信システムの第３実施形態は、他の複数の携帯端末の方向情報をさらに含む前記情報は、前記基地局がより聡明に動作されるべきであるのと同様に、前記携帯端末内で前記選択することも許容している。アンテナ選択部を有するスマートアンテナを備える基地局は、第１のアンテナ領域（sector）における携帯端末と第２のアンテナ領域（sector）における携帯端末との間で区別することができ、アンテナ領域毎におよび／またはアンテナ領域に基づいて、実行されるべき基地局内と同様に、携帯端末内での前記選択を許容する。
【００１４】
この発明による基地局の実施形態、この発明による携帯端末の実施形態、この発明による方法の実施形態、この発明による２つのプロセッサプログラムプロダクトの実施形態はこの発明による遠隔通信システムの実施形態に対応する。
【発明の詳細な説明】
【００１５】
以下、この発明のこれらの構成及びその他の構成は、以下に説明される実施形態を参照して明らかとなるであろう。
【００１６】
図１は、この発明による基地局１と、この発明による携帯端末２〜９を備えるこの発明による遠隔通信システムを示す。基地局１は、セル（cell―蜂の巣状の空間―）を８つの領域（sector）に分割するスマートアンテナを備え；第１の領域は端末２〜６を備え、そのうち端末２〜５は基地局から遠く離れて高電力で送信し、端末６は基地局１に近くて低電力で送信しており、第２の領域は高電力で送信する端末７を備え、等、および、第８の領域は端末８，９を備え、端末８は低電力で送信し、端末９は高電力で送信している。
【００１７】
図２は、この発明による基地局１と、この発明による携帯端末４を示している。  
基地局１は、生成部２１と選択部２２とに結合されるプロセッサ２０を備えるコントローラ１０を備える。プロセッサ２０の出力は、送信部１６の入力に結合され、その出力は送受切換部（duplexer）１５の入力に結合され、その入／出力は携帯通信３０用のスマートアンテナに結合され、その出力は受信部１４の入力に結合され、その出力は相関システム１３の入力およびプロセッサ２０の入力に結合される。相関システム１３は例えば、受信信号の拡散を解除して多ユーザ毎にサンプルを提供するために、それぞれがプロセッサ２０に結合された複数のマッチドフィルタを備え、これらのマッチドフィルタの出力は低減部１２の入力に結合され、この低減部１２は、例えば複数の結合部を備え、通常、１つのマッチドフィルタ毎に１つの結合部で、サンプルにおける多元接続干渉またはＭＡＩを低減させるために、この１つのフィルタからのサンプルをその他の全てのフィルタの適合されたサンプルに結合させている。前記結合部の出力は、例えば入力毎の比較部と、多ユーザメッセージを回復するために全ての比較器に結合された結合回路とを備える決定受取部１１の入力に結合される。前記低減部１２を多ユーザ検出部として考えるか、または、相関システム１３および／または決定受取部１１を含めて低減部１２を多ユーザ検出部として考えるかの何れかである。
【００１８】
携帯端末４は、メモリ５１と選択部５２に結合されたプロセッサ５０を備えるコントローラ４０を備える。携帯端末４はさらに送信部４６を備え、その出力は送受切換部４５の入力に結合され、その入／出力は携帯通信３０用のアンテナに結合され、その出力は受信部４４の入力に結合され、その出力は相関システム４３の入力およびプロセッサ５０の入力に結合される。相関システム４３は例えば、受信信号の拡散を解除して多ユーザ毎にサンプルを提供するために、それぞれがプロセッサ５０に結合された複数のマッチドフィルタを備え、これらのマッチドフィルタの出力は低減部４２の入力に結合され、この低減部４２は、例えば複数の結合部を備え、通常、１つのマッチドフィルタ毎に１つの結合部でサンプルにおける多元接続干渉またはＭＡＩを低減させるために、この１つのフィルタからのサンプルをその他の全てのフィルタの適合されたサンプルに結合させている。前記結合部の出力は、例えば入力毎の比較部と、多ユーザメッセージを回復するために全ての比較器に結合された結合回路とを備える決定受取部４１の入力に結合される。前記低減部４２を多ユーザ検出部として考えるか、または、相関システム４３および／または決定受取部４１を含めて低減部４２を多ユーザ検出部として考えるかの何れかである。
【００１９】
先行技術の端末は、多ユーザ検出部を備えていないが、例えば分散された複数の干渉取消部を備え、これらはデータ支援検出部および非データ支援検出部に分類できる。データ支援検出部は、多元接続干渉またはＭＡＩの構造を適応的に学習し、非データ支援検出部は、統計量が推定されるべきであるランダムプロセスとしてＭＡＩを処理する。その結果として、端末における干渉の取消は、（緩慢に集中するプロセスである）前記適応的に学習すること、および／または、（不正確なプロセスである）前記推定すること、により、不充分である。
【００２０】
この発明による携帯端末は、例えば、相関システム４１および／または決定受取部４３を可能性として含む低減部４２の形態である多ユーザ検出部を備える。この発明による基地局１は、プロセッサ２０を介して生成部２１に結合され、前記情報を受信する受信部４４を備える前記１つの携帯端末４に対してその他の複数の携帯端末２，３，５，６，７，８，９の拡散符号（の少なくとも一部分）を含む情報を送信する送信部１６を備える。
【００２１】
一般的な（分散された）干渉取消部よりも一層多くの多元接続干渉またはＭＡＩを低減することができて他の複数の携帯端末２，３，５，６，７，８，９の拡散符号を含む情報を必要とする干渉取消部４１，４２，４３を前記携帯端末４に設けることにより、携帯端末４内の干渉の取消は、より一層改善される。前記情報を現実に必要とする前記携帯端末４により、それ自身の目的のためにこの情報を既に得てしまっている基地局は、携帯端末４に対してこの情報を送信する送信部１６を設けられているべきであり、それ故に携帯端末４に箱の情報を受信するための受信部４４が設けられているべきである。したがって、基地局１は、この情報を幾つかの端末または全ての携帯端末に対して同報通信するための共通制御チャネル（この場合、通常は全ての関連する端末の全ての拡散符号が全ての関連する端末に対して送られる）、または、１つの携帯端末に対してこの情報を非同報通信的に送信するための端末特定制御チャネルまたはデータチャネル（この場合、通常は全ての関連する端末２〜９の全ての拡散符号が全ての関連する端末２〜９に送られるが、これとは選択的にまさにその他の端末２，３，５，６，７，８，９のまさにその拡散符号が端末４に対して送られる）、の何れかを用いている。
【００２２】
プロセッサ５０を介して前記受信部４４に結合された前記選択部５２を前記携帯端末４に設けることにより、前記携帯端末内の前記多ユーザ検出部４１，４２，４３により用いられるべき前記情報の一部分は、携帯端末４内の計算の複雑さを低減させるために、いまや選択されることができる。選択部５２は、端末４へと送られる他の複数の携帯端末２，３，５，７，９の（例えば電力レベルのような）電力情報を用いることにより、例えばこの電力情報をしきい値と比較して、この比較結果に応答して、例えば電力レベルが前記しきい値よりも大きいこれらの他の複数の携帯端末２，３，５，７，９のこれらの拡散符号のみを、最も重要な拡散符号として選択することにより、聡明な選択を行なわせる。これらの携帯端末２，３，５，７，９は、（例えば基地局１から遠く離れていることの結果として）電力レベルが前記しきい値よりも一層小さい他の複数の携帯端末の残りの携帯端末６，８と比較してより高い電力で送信することにより、あるいは、（基地局１の近くにいることの結果として）一層小さい電力で送信することにより、干渉の大部分を引き起こしている。
【００２３】
プロセッサ２０を介して前記多ユーザ検出部１１，１２，１３と前記送信部１６との間に配置された選択部２２を前記基地局１に設けることにより、前記携帯端末４に送信されるべき多数の他の携帯端末２，３，５，７，９の拡散符号および電力情報は、携帯端末４内の計算上の複雑さを低減させるため、および、同報通信または送信されるべき情報量を低減させるため、選択されることが可能となる。選択部２２は、他の複数の携帯端末２，３，５，７，９の（例えば電力レベルのような）電力情報を例えば用いることにより、例えばこの電力レベルをしきい値と比較することにより、および、最も重要な拡散符号を選択する比較結果に応答して、例えばこれらの他の複数の携帯端末２，３，５，７，９の電力レベルが前記しきい値よりも大きいこれらの拡散符号のみを、最も重要な拡散符号として選択することにより、聡明な選択を行なわせる。これら他の携帯端末２，３，５，７，９は、（例えば基地局１から遠く離れていることの結果として）電力レベルが前記しきい値よりも一層小さい他の複数の携帯端末の残りの携帯端末６，８と比較してより高い電力で送信することにより、（基地局１の近くにいることの結果として）一層小さい電力で送信することにより、干渉の大部分を引き起こしている。
【００２４】
例えばスマートアンテナを有する基地局１の場合、セルは例えば８つの領域に分割されており、基地局１は第１の領域内の携帯端末間で識別可能であり、第２の領域以下も同等に識別可能であり、例えば、前記携帯端末が置かれている領域を画定することにより各携帯端末の方向情報を割り当てることができる。したがって、前記選択は以下に説明するように、より一層聡明に（intelligently）行なうことができる。
【００２５】
基地局１において、選択部２２は、携帯端末４における計算上の複雑性を低減させると共に同報通信／送信されるべき情報量を低減させるために、前記携帯端末４へと送信されるべき多数の他の携帯端末２，３，５，６，７，８，９の拡散符号と電力情報とを選択することができる。選択部２２は、他の複数の携帯端末２，３，５，６，７，８，９の方向を例えば用いることにより、例えば携帯端末４と同じ領域に配置されたこれら他の携帯端末２，３，５，６のこれらの拡散符号のみのような、最重要な拡散符号を選択した比較結果に応答して携帯端末４の方向情報と例えばこの方向情報を比較することにより、聡明な選択（intelligent selection）を行なわせている。これらの他の携帯端末２，３，５，６は、携帯端末４の近傍に配置されているので、干渉の殆どの原因となるであろう。
【００２６】
携帯端末４において、選択部５２は、携帯端末４内の計算上の複雑性を低減させるために、前記多ユーザ検出部４１，４２，４３により用いられるべき、前記情報の一部分を選択できる。この選択部５２は、その他の複数の携帯端末２，３，５，６，７，８，９の方向を例えば用いることにより、例えば携帯端末４と同じ領域に配置されたこれら他の携帯端末２，３，５，６のこれらの拡散符号のみのような、最重要な拡散符号を選択した比較結果に応答して携帯端末４の方向情報と例えばこの方向情報を比較することにより、聡明な選択を行なわせている。これらの他の携帯端末２，３，５，６は、携帯端末４の近傍に配置されているので、干渉の殆どの原因となるであろう。
【００２７】
この発明は１つの洞察、とりわけ、多ユーザ検出部が一般的な（分散された）干渉取消部よりも一層良好な干渉取消部であることに基づいており、および、この発明は１つの基本概念、とりわけ、携帯端末内の多ユーザ検出部にとって必要な情報が基地局から携帯端末へと送信可能であることに基づいている。この発明は、とりわけ、遠隔通信システム内の容量と同様に携帯端末内の干渉取消も改善された遠隔通信システムを提供するという課題を解決する。
【００２８】
符号を同報通信するときに、基地局１は前記領域からは独立して同報通信可能であり、この場合、同一のセル内の一般的には全ての端末の少なくとも拡散符号のみが、および、おそらくは電力情報および／または方向情報の何れかと拡散符号とが、多ユーザ検出部を有するこれらの端末（一般的には全ての端末）へと送信されることを必要とする。基地局１はまた、領域毎に同報通信でき、この場合、同一の領域内の一般的には全ての端末の少なくとも拡散符号と、および、おそらくは電力情報と拡散符号とが多ユーザ検出部を有するこの領域内の端末（一般的にはこの領域の全ての端末）に対して送信されることを必要とする。非同報通信的に、符号／情報を送信するときには、基地局１は前記領域からは独立して送信でき、この場合、同一のセル内のその他の端末の少なくとも拡散符号、およびおそらくは電力情報および／または方向情報の何れかと拡散符号とが、多ユーザ検出部を有する１つの端末へと送信されることを必要とする。基地局１はまた領域毎に送信でき、この場合、同一の領域内の他の複数の端末の少なくとも拡散符号、および、おそらくは拡散符号と電力情報とが多ユーザ検出部を有するこの領域内の１つの端末へと送信されることを必要とする。
【００２９】
基地局１から携帯端末４へと送信されるべき符号および情報は、生成部２１により生成されて、符号信号の形態によりプロセッサ２０と送信部１６を介して携帯端末４へと送信される。携帯端末４においては、前記符号信号が送信部４４の送受切換部４５を介して到着する。したがって、選択および／または受信されたチャネルにしたがって、前記符号信号が直接プロセッサ５０に供給されるか、または、多ユーザ検出部４１，４２，４３を介して間接的に供給されるかの何れかにより、相関システム４３はこれにより、まず、携帯端末４の既に公知である拡散符号をまさに用いることができ、低減部４２はこの符号信号の中の多元接続干渉またはＭＡＩを低減することができ、決定受取部４１は符号および情報を正常な状態に戻すことができる。
【００３０】
一般的に、前記基地局１が１つの携帯端末に対して他の複数の携帯端末の拡散符号、電力情報および／または方向情報を送信する場合、この形態端末の拡散符号、電力情報および／または方向情報もまた、この携帯端末へと送信され、または、この携帯端末は既にこの符号および／または情報を獲得してしまっている。前記拡散符号は正式な拡散符号であっても良く、または、端末を（一時的にまたは無制限に）識別するための選択的な識別符号であっても良い。前記電力情報はまた、送信のために用いられる電力／エネルギーレベルを示すエネルギー情報であっても良く、および、前記方向情報は領域を定義するための角度情報または定義づけ（definition―定義づけ・鮮明度―）情報であっても良い。
【００３１】
図示されまたは図示されない各ブロックは、１００％ハードウェア、１００％ソフトウェアまたは両方の混合であることが可能である。図示されまたは図示されない各ブロックは、図示されおよび／または図示されない他のブロックと共に互いに集積化することもできる。特に、コントローラ１０内の生成部２１，選択部２２およびプロセッサ２０は、通常互いに集積化される得るものであり、コントローラ４０内の選択部５２およびプロセッサ５０は、通常互いに集積化され得るものである。相関システム１３，４３は、それら自身のプロセッサ／メモリ（並列）を介して実現可能であり、または、全ての相関（並列および／または直列）を実現することになっている１つのプロセッサ／メモリを介して実現可能であり、または、プロセッサ２０，５０と協働するマッチドフィルタ（並列および／または直列）を介して実現可能であり、または、プロセッサ２０，５０を介して駆動するソフトウェアを介して実現可能である。低減部１２，４２は、複数の結合部を備え、通常は１つのマッチドフィルタにつき１つの結合部であり、このマッチドフィルタからのサンプルを全ての他のフィルタの適合されたサンプルに結合して、サンプル内の多元接続干渉またはＭＡＩを低減させる。これらの結合部は、これら自身の（並列）プロセッサ／メモリを介して実現可能であり、または、全ての相関（並列および／または直列）を実現することになっている１つのプロセッサ／メモリを介して実現可能であり、または、プロセッサ２０，５０と協働する結合部（並列および／または直列）を介して実現可能であり、または、プロセッサ２０，５０を介して駆動するソフトウェアを介して実現可能であり、前記プロセッサ／メモリおよびプロセッサ２０，５０は、結合部毎に、全ての他のフィルタのサンプルの前記適合を実行している。前記結合部の出力は、例えば、入力毎の比較部と全ての比較部に結合された結合回路とを備え、基地局１の多ユーザメッセージおよび携帯端末４の携帯端末４葉のメッセージを回復させるための決定受取部１１，４１の入力に結合される。前記比較部はそれぞれプロセッサ２０，５０に結合され、前記結合回路はプロセッサ２０，５０に結合される。もちろん、携帯端末４は他の複数の端末からの多ユーザメッセージを回復する必要はないが、携帯端末４の内側に干渉取消部のための多ユーザ検出部４１，４２，４３はまさに必要であり、低減部４２および決定受取部４１は、基地局１内の低減部１２および決定受取部１１に比較してより低い複雑さであろう。受信部１４，４４は一般的には、ミキサおよび復調部を備えているであろうし、さらに、スイッチ、バッファを備えていても良く、例えば、送信部１６，４６と共にトランジスタシーバの一部分を形成しても良い。送受切換部１５，４５はまた、スイッチ、熊手状の分岐（forks）、ハイブリッド結合（hybrids）等で実現することも可能であろう。
【図面の簡単な説明】
【００３２】
【図１】この発明による基地局とこの発明による携帯端末とを備えるこの発明による遠隔通信システムの構成を示すブロック図である。
【図２】この発明による基地局とこの発明による携帯端末の構成をそれぞれ示すブロック図である。
【符号の説明】
【００３３】
１  基地局
２〜９  携帯端末
４  少なくとも１つの携帯端末
１６  送信部
２１  生成部（拡散符号）
４１  多ユーザ検出部
４２  多ユーザ検出部
４３  多ユーザ検出部
４４  受信部
【図１】
2005515689.tif 000003
【図２】
2005515689.tif 000004
【国際調査報告】
2005515689.tif 000005
2005515689.tif 000006
2005515689.tif 000007